(57)【要約】【課題】作業台上の空気を効率良く吸引することができ、かつ、作業台上の作業スペースを広く確保することができる空気清浄機を提供する。【解決手段】空気清浄機１は、ファンとフィルタとを有し、ファンにより吸気口１２から吸引した空気を、フィルタを通過させたうえで排気口１１から排出する装置本体１０と、吸気口１２に接続された吸気ダクト７０と、排気口１１に接続された排気ダクト３０と、吸気ダクト７０に接続されたプルフード６０と、排気ダクト３０に接続されたプッシュフード４０とを備える。空気清浄機１は、装置本体１０から排出された空気をプッシュフード４０から吹き出し、プッシュフード４０から吹き出した空気の少なくとも一部を含む空気をプルフード６０から吸引可能である。【選択図】図１
2019188304.tif 000002
【特許請求の範囲】
【請求項１】
ファンとフィルタとを有し、前記ファンにより吸気口から吸引した空気を、前記フィルタを通過させたうえで排気口から排出する装置本体と、
前記吸気口に接続された吸気ダクトと、
前記排気口に接続された排気ダクトと、
前記吸気ダクトに接続されたプルフードと、
前記排気ダクトに接続されたプッシュフードとを備え、
前記装置本体から排出された空気を前記プッシュフードから吹き出し、
前記プッシュフードから吹き出した空気の少なくとも一部を含む空気を前記プルフードから吸引可能である、空気清浄機。
【請求項２】
前記プルフードから吸引される空気の量は、前記プッシュフードから吹き出される空気の量よりも多い、請求項１に記載の空気清浄機。
【請求項３】
前記吸気ダクトと前記プルフードとの接続構造、前記排気ダクトと前記プッシュフードとの接続構造、前記吸気ダクトと前記装置本体との接続構造、及び前記排気ダクトと前記装置本体との接続構造のうち少なくとも１つは、繰り返し着脱可能な構造である、請求項１又は２に記載の空気清浄機。
【請求項４】
前記装置本体は、前記フィルタよりも上流側の吸引した空気の圧力と前記フィルタよりも下流側の空気の圧力との差の計測結果を表示する差圧計を有する、請求項１から３のいずれかに記載の空気清浄機。
【請求項５】
前記装置本体は、風量設定部を有し、
前記ファンは、前記風量設定部の設定結果に対応する回転数で回転する、請求項１から４のいずれかに記載の空気清浄機。
【請求項６】
前記プッシュフードは、前記装置本体から排出された空気を吹き出す方向とは異なる方向に面する壁部により構成された洞部と、前記洞部の内側から外側に貫通するように前記洞部に設けられた孔部とを有し、
前記装置本体から排出された空気と共に、前記孔部を通して前記洞部の外側から内側に流れ込む空気を、前記プッシュフードから吹き出す、請求項１から５のいずれかに記載の空気清浄機。
【請求項７】
前記プッシュフードは、環状の吹出部を有し、前記装置本体から排気された空気を前記吹出部から吹き出す、請求項１から６のいずれかに記載の空気清浄機。
【発明の詳細な説明】
【技術分野】
【０００１】
この発明は、空気清浄機に関し、特に、作業台上の空気を清浄することができる空気清浄機に関する。
【背景技術】
【０００２】
従来、空気清浄用のフィルタを備え、吸入した空気をフィルタを用いて浄化し、浄化された空気を排出する空気清浄機が用いられている（例えば、下記特許文献１参照）。このような空気清浄機は、例えば、ユーザが作業台上で作業（例えば、半田付け等の煙が発生する作業や、粉末を取り扱う作業や、揮発性の薬品を取り扱う作業など）を行う場合に発生する空気を吸引し、浄化する用途に用いることができる。
【先行技術文献】
【特許文献】
【０００３】
【特許文献１】特開２０１１−１６７６８３号公報
【発明の概要】
【発明が解決しようとする課題】
【０００４】
ところで、特許文献１に記載されているような空気清浄機を用いて作業台上の空気を吸引するには、吸引用のダクトの先端部や、ダクトに取り付けた吸引用のフード等を作業台の近くに位置させればよい。しかしながら、この場合、ダクトの先端部やフード等の近傍の空気を吸引できるものの、比較的離れた部位の空気を十分に吸引できない場合がある。
【０００５】
作業台上の空気を吸引することができる他の手段として、いわゆるクリーンベンチやドラフトチャンバ等を挙げることができる。しかしながら、このような装置は一般的に大掛かりな装置であるため、設置作業、撤去作業や、用途に応じて移動させたりすることなどが行いにくくなるという問題がある。また、一般的なクリーンベンチやドラフトチャンバ等では、作業台上で空気を清浄された状態に保つ空間がパネル等により囲われている。ユーザが作業を行うことができる空間が区切られるため、作業を行いにくくなる場合がある。
【０００６】
この発明はそのような問題点を解決するためになされたものであり、作業台上の空気を効率良く吸引することができ、かつ、作業台上の作業スペースを広く確保することができる空気清浄機を提供することを目的としている。
【課題を解決するための手段】
【０００７】
上記目的を達成するためこの発明のある局面に従うと、空気清浄機は、ファンとフィルタとを有し、ファンにより吸気口から吸引した空気を、フィルタを通過させたうえで排気口から排出する装置本体と、吸気口に接続された吸気ダクトと、排気口に接続された排気ダクトと、吸気ダクトに接続されたプルフードと、排気ダクトに接続されたプッシュフードとを備え、装置本体から排出された空気をプッシュフードから吹き出し、プッシュフードから吹き出した空気の少なくとも一部を含む空気をプルフードから吸引可能である。
【０００８】
好ましくは、プルフードから吸引される空気の量は、プッシュフードから吹き出される空気の量よりも多い。
【０００９】
好ましくは、吸気ダクトとプルフードとの接続構造、排気ダクトとプッシュフードとの接続構造、吸気ダクトと装置本体との接続構造、及び排気ダクトと装置本体との接続構造のうち少なくとも１つは、繰り返し着脱可能な構造である。
【００１０】
好ましくは、装置本体は、フィルタよりも上流側の吸引した空気の圧力とフィルタよりも下流側の空気の圧力との差の計測結果を表示する差圧計を有する。
【００１１】
好ましくは、装置本体は、風量設定部を有し、ファンは、風量設定部の設定結果に対応する回転数で回転する。
【００１２】
好ましくは、プッシュフードは、装置本体から排出された空気を吹き出す方向とは異なる方向に面する壁部により構成された洞部と、洞部の内側から外側に貫通するように洞部に設けられた孔部とを有し、装置本体から排出された空気と共に、孔部を通して洞部の外側から内側に流れ込む空気を、プッシュフードから吹き出す。
【００１３】
好ましくは、プッシュフードは、環状の吹出部を有し、装置本体から排気された空気を吹出部から吹き出す。
【発明の効果】
【００１４】
これらの発明に従うと、作業台上の空気を効率良く吸引することができ、かつ、作業台上の作業スペースを広く確保することができる空気清浄機を提供することができる。
【図面の簡単な説明】
【００１５】
【図１】本発明の第１の実施の形態における空気清浄機を示す斜視図である。
【図２】空気清浄機の構成を模式的に示す図である。
【図３】第１の実施の形態の一変形例における空気清浄機を示す斜視図である。
【図４】第２の実施の形態における空気清浄機に用いられるプッシュフードの正面図である。
【図５】図４のＡ−Ａ線断面図である。
【発明を実施するための形態】
【００１６】
以下、本発明の実施の形態における空気清浄機について説明する。
【００１７】
［第１の実施の形態］
【００１８】
図１は、本発明の第１の実施の形態における空気清浄機１を示す斜視図である。
【００１９】
空気清浄機１は、例えば、作業台９０の近くに設置して用いることができるものである。図１において、作業台９０は二点鎖線で示されており、実際には作業台９０により隠れる隠れ線が実線で示されている。
【００２０】
図１に示されるように、空気清浄機１は、大まかに、装置本体１０と、排気ダクト３０と、プッシュフード４０と、プルフード６０と、吸気ダクト７０とを有している。空気清浄機１は、プッシュフード４０から吹き出した空気をプルフード６０から吸引し、吸引した空気を装置本体１０で浄化した後に再びプッシュフード４０から吹き出すように構成されている。
【００２１】
図２は、空気清浄機１の構成を模式的に示す図である。
【００２２】
図２において、一点鎖線は、空気の流れを示す。
【００２３】
図２に示されるように、装置本体１０は、排気口１１と、吸気口１２と、ファン１３と、フィルタ１４とを有している。装置本体１０の内部には、吸気口１２から排気口１１まで空気が流れる空間が設けられており、ファン１３及びフィルタ１４は、その空間に配置されている。
【００２４】
ファン１３は、モータによりインペラを回転させることにより、吸気口１２から吸い込んだ空気を排気口１１に送る。フィルタ１４は、ファン１３よりも上流側（吸気口１２側）に配置されており、吸気口１２から吸い込まれた空気は、排気口１１から排出されるまでに、フィルタ１４を透過する。すなわち、装置本体１０は、ファン１３により吸気口１２から吸引した空気をフィルタ１４を通過させたうえで排気口１１から排出する。
【００２５】
本実施の形態において、フィルタ１４としては、種々のものを用いることができる。フィルタ１４として、空気清浄機１により吸引する空気に含まれる除去対象に対応するものを用いればよい。例えば、においや空気以外のガスを浄化する場合には、活性炭フィルタを用いることができる。また、煙や集塵効果に期待する場合には、不織布フィルタやエレクトレットフィルタなどを用いることができる。除去するガスの種類等に応じて、触媒を添加したフィルタを用いてもよい。フィルタは１つに限られず、複数の種類のフィルタを適宜の組合せで重畳して配置したり、複数層のフィルタを用いたりしてもよい。
【００２６】
また、装置本体１０は、制御回路部１５と、風量設定部１６と、スイッチ部１７と、差圧計１８と、電源部１９とを有している。電源部１９は、例えば商用電源に接続されており、装置本体１０を動作させる電力を各部に供給する。装置本体１０は、電源部１９から供給される電力を使用して動作する。
【００２７】
制御回路部１５は、装置本体１０の動作を制御する。制御回路部１５は、例えば、風量設定部１６の状態に対応する回転数でファン１３のモータが回転するように、モータを駆動させる。また、スイッチ部１７に加えられたユーザの操作に応じて、ファン１３を回転させるか否かを切り替える。なお、制御回路部１５の制御内容はこれに限られるものではない。
【００２８】
スイッチ部１７は、例えば、図１に示されるような、ユーザが足でオン状態とオフ状態とを切り替えることができるフットスイッチである。なお、スイッチ部１７として、装置本体１０の筐体１０ｂにユーザが操作可能なスイッチが設けられていてもよい。
【００２９】
風量設定部１６は、ユーザが操作を行うことができるダイヤルを有している。制御回路部１５は、ダイヤルの設定位置を検知することができるように構成されている。制御回路部１５は、ダイヤルの設定位置に対応する回転数でファン１３が回転するように、ファン１３のモータを駆動する。すなわち、ファン１３は、風量設定部１６の設定結果に対応する回転数で回転する。ユーザは、風量設定部１６の設定を変更することにより、プルフード６０から吸引されプッシュフード４０から吹き出す空気の量を調整することができる。
【００３０】
差圧計１８は、フィルタ１４よりも上流側すなわち吸気口１２側における気圧すなわち吸引した空気の圧力と、フィルタ１４よりも下流側すなわち排気口１１側における気圧すなわち排出する空気の圧力との差の計測結果を表示する。差圧計１８が設けられていることにより、ユーザは、空気清浄機１が正常に動作しているか否かや、フィルタ１４に目詰まりが発生している程度などについて知ることができる。ユーザは、適宜、フィルタ１４を新しいものに交換することができる。
【００３１】
排気ダクト３０は、排気口１１とプッシュフード４０とを接続している。また、本実施の形態において、吸気ダクト７０は、吸気口１２とプルフード６０とを接続している。排気口１１、プッシュフード４０側の排気ダクト３０の接続口、プルフード６０側の吸気ダクト７０の接続口、及び吸気口１２は、それぞれ、円筒形状を有している。排気ダクト３０と吸気ダクト７０とは、例えば、湾曲可能なフレキシブルダクトホースである。
【００３２】
本実施の形態において、排気ダクト３０は、両端部が排気口１１とプッシュフード４０側の接続口とに差し込まれて、ワイヤーバンド等の取付バンドによって排気口１１とプッシュフード４０側の接続口とに固定されている。また、吸気ダクト７０は、両端部が吸気口１２とプルフード６０側の接続口とに差し込まれて、ワイヤーバンド等の取付バンドによって吸気口１２とプルフード６０側の接続口とのそれぞれに固定されている。すなわち、吸気ダクト７０とプルフード６０との接続構造、排気ダクト３０とプッシュフード４０との接続構造、吸気ダクト７０と装置本体１０との接続構造、及び排気ダクト３０と装置本体１０との接続構造は、それぞれ、繰り返し着脱可能な構造である。そのため、用途によって、同一の空気清浄機１を、例えばプッシュフード４０を取り外して使用したり、プルフード６０及び吸気ダクト７０のみを装置本体１０に取り付けた状態で用いたり、吸気ダクト７０のみを装置本体１０に取り付けた状態で使用したりするなど、種々の態様で使用することができる。そのため、空気清浄機１は、高い汎用性を有している。
【００３３】
プッシュフード４０は、例えば、排気ダクト３０の内側で空気が通る部位の断面積よりも大きな領域から、空気を吹き出すことができるように構成されている。プッシュフード４０の内部には、例えば、空気を吹き出す方向（以下、吹出方向ということがある）の一様流に近づけるための整流部４２が設けられている。整流部４２は、例えば、メッシュ構造を有する部材や、吹出方向の長さ寸法が所定の寸法であるハニカムコア等や、ルーバー等であるが、これに限られるものではない。また、整流部４２は設けられていなくてもよい。
【００３４】
プルフード６０は、例えば、プッシュフード４０から空気が吹き出される領域と同じかそれよりも広い領域から、空気を吸引することができる大きさに設けられている。プルフード６０は、例えば、工具や作業対象物等が誤って吸引されないようにするネット６２等を有しているが、これに限られるものではない。また、ネット６２は、設けられていなくてもよい。なお、プルフード６０は、吹出方向上流側に開口する領域の中央部の一定範囲を覆うような整流板を有し、整流板の周囲から効果的に空気を吸引することができるように構成されていてもよい。
【００３５】
空気清浄機１において、空気は、ファン１３の駆動に伴って、以下のように循環する。すなわち、ファン１３が駆動すると、フィルタ１４の前後で圧力差が生じ、装置本体１０の吸気口１２から空気が吸い込まれるとともに、排気口１１から空気が排出される。排気口１１から排出される空気は、フィルタ１４を通過したものであり、清浄された空気である。排出された空気は、排気ダクト３０を経由してプッシュフード４０に流れ込み、プッシュフード４０から吹き出す。このとき、プッシュフード４０から流れ出る空気（プッシュ気流Ｓ）は、比較的一様流に近い空気流となる。プルフード６０は、プッシュフード４０に対向するように、作業台９０上に配置される。プルフード６０は、プッシュフード４０から吹き出された空気の少なくとも一部を含む空気を吸引可能である。プルフード６０から吸い込まれた空気は、吸気ダクト７０を経由して、吸気口１２から装置本体１０の内部に流れ込む。流れ込んだ空気は、フィルタ１４を通過する。これにより、プルフード６０から吸い込まれた空気に含まれる、粉、微粒子、有機溶剤等の物質や、におい等がフィルタ１４に取り込まれ、清浄された空気が排出される。
【００３６】
本実施の形態において、プッシュフード４０とプルフード６０とは、作業台９０上に固定して空気清浄機１を使用することができる。また、プッシュフード４０とプルフード６０とを作業台９０上に固定せずに作業台９０上に載置するだけで空気清浄機１を使用することもできる。プッシュフード４０やプルフード６０は、ファンや大掛かりなフィルタ等を用いない比較的簡素な構成のものとすることができるので、設置が容易であり、作業台９０上において容易に取り扱うことができる。作業台９０上で占有するスペースや、作業台９０にかかる荷重を低減することができる。また、空気清浄機１を、全体として、低コストで構成することができる。
【００３７】
プッシュフード４０やプルフード６０は、モータやファン等を有していない。すなわち、プッシュフード４０やプルフード６０など、作業台９０上に配置される構成物において、電気的な構成は含まれない。したがって、作業台９０上において安全な作業環境を確保することができる。
【００３８】
空気清浄機１により、プッシュフード４０とプルフード６０を用いたプッシュプル気流を発生させることにより、作業台９０上に局所的に、空気を装置本体１０に排気できる領域すなわち空気を清浄可能な領域を設けることができる。作業台９０上において、プッシュフード４０とプルフード６０が設けられているほか、パネル等で領域を区切る必要がない。そのため、ユーザは、自由度の高い作業を作業台９０上において行うことができる。プッシュ気流Ｓは、フィルタ１４を通過した空気であるので、作業台９０上の作業を比較的清浄度が高い状態で行うことができる。
【００３９】
プッシュフード４０とプルフード６０との間隔Ｌや、プッシュフード４０やプルフード６０の作業台９０上の位置を、使用目的等に応じて適宜設定することができる。また、プッシュフード４０とプルフード６０との位置関係や、使用目的等に応じて、風量設定部１６の設定を調整することで、空気の風量を適宜調整することができる。したがって、幅広い使用態様で、空気清浄機１を利用することができる。
【００４０】
なお、プッシュフード４０やプルフード６０は、種々の材料で構成することができる。例えば金属を用いて構成することができ、その場合には、熱や有機溶剤等に耐性のある耐久性の高い空気清浄機１を構成することができる。
【００４１】
なお、プルフード６０から吸引される空気の量は、プッシュフード４０から吹き出される空気の量よりも多くなるように構成してもよい。このように構成することにより、プッシュフード４０とプルフード６０との間の空気が、プルフード６０から吸引されずにその周囲に拡散することをより高いレベルで防止することができる。例えば、排気口１１から排出された空気のうち、一部が、プッシュフード４０の吹出方向への吹き出し口よりも上流側において空気の還流経路から外に排出されるようにし、残りの部分がプッシュフード４０から吹出方向に吹き出す空気となるようにすればよい。
【００４２】
図３は、第１の実施の形態の一変形例における空気清浄機１０１を示す斜視図である。
【００４３】
図３に示されるように、空気清浄機１０１は、プッシュフード４０とプルフード６０との間の作業空間のうち、ユーザが作業空間にアクセスしない方向を覆うパネル８０を有している点が、上述の実施の形態に係る空気清浄機１とは相違する。空気清浄機１０１のその他の構成は、空気清浄機１の構成と同様である。
【００４４】
パネル８０は、例えば、図３において奥側（作業台９０の背方側）に立設される。パネル８０は、上部において手前側に延在するように構成されている。パネル８０により、プッシュフード４０とプルフード６０との間の作業空間のうち、図３における奥側と上側とが覆われる。
【００４５】
このようなパネル８０を用いることにより、プッシュフード４０から吹き出されてプルフード６０により吸引される空気が、ユーザによる作業空間へのアクセスに比較的影響が少ない方向からの気流等の影響を受けることを防止することができる。したがって、作業空間の空気が効率良くプルフード６０から吸引され、空気清浄機１０１の空気清浄効果を高めることができる。
【００４６】
［第２の実施の形態］
【００４７】
第２の実施の形態における空気清浄機の基本的な構成は、第１の実施の形態におけるそれと同じであるためここでの説明を繰り返さない。第２の実施の形態においては、プッシュフードの構成が、第１の実施の形態のそれとは異なる。
【００４８】
図４は、第２の実施の形態における空気清浄機に用いられるプッシュフード１４０の正面図である。図５は、図４のＡ−Ａ線断面図である。
【００４９】
図４において、空気が吹き出す方向（吹出方向）から見た図が正面図として示されている。図４において、隠線の一部が破線で示されている。図５において、二点鎖線は、空気の流れの一部を示している。
【００５０】
図４及び図５を参照して、プッシュフード１４０は、洞部１４１と、環状の吹出部１４３と、環状の吹出部１４３を洞部１４１に支持する支持部１４４とを有している。
【００５１】
本実施の形態において、洞部１４１は、全体として凹型の形状を有している。洞部１４１は、装置本体１０から排出された空気を吹き出す方向とは異なる方向に面する壁部により構成されている。洞部１４１の正面側は開口部となり、その他の面は、平面又は曲面の壁部を有している。前面から見て、洞部１４１は、半円形状の上部と矩形形状の下部とを繋げた形状を有している。すなわち、洞部１４１の上部は丸みを帯びており、下部は略水平面となっている。
【００５２】
図５に示されるように、洞部１４１の背面側の中央部には、排気ダクト３０が接続され、内部が空気の流路となる二重構造の凹形状部１４１ｂが設けられている。凹形状部１４１ｂは、正面側から背面側に向かって凹む形状を有している。凹形状部１４１ｂの背部には、排気ダクト３０が接続される接続口１４９が形成されている。排気ダクト３０は、例えば、接続口１４９に嵌め込まれて取付バンド等を用いてプッシュフード１４０に固定される。
【００５３】
本実施の形態において、凹形状部１４１ｂには、背面側に開口する複数の孔部１４７が形成されている。凹形状部１４１ｂの内部と、プッシュフード１４０の外部とは、孔部１４７を介して繋がっている。
【００５４】
洞部１４１において、凹形状部１４１ｂの周囲には、孔部１４２ｂを挟んで、背面及び側面の壁部が設けられている。凹形状部１４１ｂは、凹形状部１４１ｂの外周と壁部とを接続する複数（例えば４つ）のスポーク部１４２を介して、背面の中央部に支持されている。孔部１４２ｂは、凹形状部１４１ｂの外周部と、スポーク部１４２と、凹形状部１４１ｂよりも外側の壁部とで囲まれた部位であり、洞部１４１の内側から外側に貫通するように洞部１４１に設けられているといえる。
【００５５】
吹出部１４３は、正面側から見て円環形状を有している。図５に示されるように、吹出部１４３の内部は、空気が通るように空洞となっており、吹出部１４３の正面側の部分に、円環状の吹出スリット１４３ｂが形成されている。吹出部１４３は、背面側の数カ所において、ゴムホースなどのホース１４５を介して凹形状部１４１ｂに接続されている。吹出部１４３は、背面側の数カ所に設けられた支持部１４４を介し、凹形状部１４１ｂに支持されている。
【００５６】
図５に二点鎖線で示されているように、プッシュフード１４０は、装置本体１０から排気された空気を、吹出部１４３から吹き出す。すなわち、空気は、排気ダクト３０から凹形状部１４１ｂに流れ込む。そうすると、一部の空気は、凹形状部１４１ｂに設けられている孔部１４７から、プッシュフード１４０の背面側に流出する。他の空気は、凹形状部１４１ｂから、ホース１４５を介して、吹出部１４３に流れ込む。吹出部１４３に流れ込んだ空気は、吹出スリット１４３ｂから吹出方向（図５において下）に吹き出す。吹出部１４３から吹き出す空気は、装置本体１０から排出された空気である。
【００５７】
ここで、プッシュフード１４０は、このようにして吹出部１４３から吹き出す装置本体１０から排出された空気と共に、孔部１４７を通して洞部１４１の外側から内側に流れ込む空気を吹き出すように構成されている。すなわち、吹出部１４３に設けられた吹出スリット１４３ｂから吹き出す空気の噴流により、その周囲の空気が噴流に巻き込まれ、噴流と共に吹出方向に流れる。そのため、孔部１４７を通して洞部１４１の外側から内側に空気が流れ込み、流れ込んだ空気が、噴流と共に吹出方向に流れる。
【００５８】
第２の実施の形態においては、プッシュフード１４０がこのような構成を有しているので、プッシュフード１４０のうち排気ダクト３０から比較的離れた部位においても、多くの空気が吹き出す。したがって、より広い作業空間の空気をプルフード６０を用いて吸引し、作業空間から装置本体１０に排気することができる。
【００５９】
なお、図４及び図５は、模式的な構造を示すものである。実際には、各部の位置、形状、数等は、例えば、プッシュフード１４０から吹き出す空気が一様流となるように設定したり、プッシュフード１４０から吹き出す空気の量とプルフード６０から吸引される空気の量とのバランスを鑑みて設定したり、用途に応じて設定したりすればよい。
【００６０】
なお、洞部１４１に設けられる孔部１４２ｂは、上述の位置に限られるものではない。例えば、側面の壁部に孔部が形成されていてもよい。また、空気の吹出部１４３は、環状でなくてもよい。プッシュフード１４０は、洞部１４１の外側から内側に流れ込む空気を合わせて吹き出すものでなくてもよい。
【００６１】
［その他］
【００６２】
上述の複数の実施の形態を適宜組み合わせた実施の形態を構成してもよい。例えば、上述の実施の形態の構成そのものに限られず、上述の実施の形態のそれぞれの構成要素を、適宜、他の実施の形態の構成要素と置換したり組み合わせたりしてもよい。また、上述の実施の形態のうち、一部の構成要素が省略されていてもよい。
【００６３】
なお、吸気ダクトとプルフードとの接続構造、排気ダクトとプッシュフードとの接続構造、吸気ダクトと装置本体との接続構造、及び排気ダクトと装置本体との接続構造のうち少なくとも１つが、繰り返し着脱可能な構造であってもよいし、全てが着脱不能であってもよい。また、各接続構造は、上述の実施の形態のようなワイヤーバンド等の取付バンドを用いるものではなくてもよく、種々の構造を用いることができる。例えば、繰り返し着脱可能な接続構造として、吸気ダクトや排気ダクトの端部に設けられたねじ部を排気口や吸気口などに設けられたねじ部にねじ込むことによる接続構造や、ダクトの端部と排気口等とを係合させた上でスナップ錠（パチン錠；ドローラッチともいうことがある）等により両者を固定する接続構造などを用いるようにしてもよい。
【００６４】
プルフードやプッシュフードに、プレフィルタを設けるようにしてもよい。例えば、プルフードに比較的目の粗いフィルタを取り付けて、粒径の大きい粒子等をプルフード側で捕集し、装置本体のフィルタの保護や高寿命化を図るようにしてもよい。
【００６５】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００６６】
１  空気清浄機
１０  装置本体
１１  排気口
１２  吸気口
１３  ファン
１４  フィルタ
１６  風量設定部
１８  差圧計
３０  排気ダクト
４０，１４０  プッシュフード
６０  プルフード
７０  吸気ダクト
１４１  洞部
１４２ｂ  孔部
１４３  吹出部
【図１】
2019188304.tif 000003
【図２】
2019188304.tif 000004
【図３】
2019188304.tif 000005
【図４】
2019188304.tif 000006
【図５】
2019188304.tif 000007